(57)【要約】      （修正有）【課題】清浄作業中に、束子面にのみ清浄液を滲出して効率よく清掃面を美麗且つ衛生化し、その作業機能、作業効率を高めると同時に、後処理作業を軽減化、衛生化する事ができる洗浄束子を提供する。【解決手段】剛毛面又は研磨面を持つ束子部分６と、スポンジ状可塑面を持つ清浄束子部４とを、一体的に接合して成る二面性束子２と、其の側面補強用結滞上に装着された着脱自在且つ曲折自在の柄部９とより成り、二面性束子の接合部に形成された凹部と、凹部から束子部分の表面に貫通する間隙とを設けることで、所望面上にのみ、凹部に注入されている清浄液を滲出させるようにした事を特徴とする。【選択図】図１
0003186213.tif 000002
【実用新案登録請求の範囲】
【請求項１】
剛毛面又は研磨面を持つ束子部分と、スポンジ状可塑面を持つ清浄束子部とを、一体的に接合して成る二面性束子と、其の側面補強用結帯上に装着された着脱自在且つ曲折自在の柄部とより成り、前記二面性束子の接合部に、所望面上にのみ、注入保留されている清浄液が滲出する如く構成されている事を特徴とする清浄用束子。
【請求項２】
前記二面性束子の接合面には、外部より注入される所望清浄液を保留し且つ所望方向にのみ滲出させ得る如く構成した、凹部又は袋体を備えている事を特徴とする請求項１記載の清浄用束子。
【請求項３】
前記凹部又は袋体は、注入清浄液の逆流防止用のベローバルブを備えている事を特徴とする請求項１又は２記載の清浄用束子。
【考案の詳細な説明】
【技術分野】
【０００１】        本考案は、清浄液滲出型て取り外し自在、曲折自在の柄部を備えた清浄用束子に関する。
【技術的背景】
【０００２】          従来、家庭生活に欠かせない束子は、古来から種々な物が提案され、使用されてきたが、近代に於いても其の原型は殆ど変わらず、昔ながらの亀の子束子が、高級厨房においても使用されている。
【０００３】          然しながら、清浄化されるべき食器や、食用品の種類や、厨房品の近代化やに合わせて、束子の素材、形状、構造も除々に変化し、棕櫚や椰子の樹皮で造られた台所用束子は、さすがに疎遠化し、それに変わるべきものとして、一般家庭台所等では、剛毛の合成繊維やスポンジ状の合成樹脂や合成布で作られた亀の子束子や清浄器具が散見される様に成って来ている。
【０００４】          又、生活様式が洋風化した近年では、厨房、台所などで使用する古風な磨き粉等は姿を消し、それに代わって採用されて来たのが、油質分解能、洗浄能の高い合成化学洗剤であり、人手を必要としない自動食器洗い機である。そこで一般概念の束子は、台所、厨房から姿を消し、其の主役の場が、風呂場、トイレ、床、等に移り、その清掃化、清浄化用の道具として使用される様に成りつつ在るのが実情である。
【０００５】          此の様な使用場所、使用目的の変化から、必然的に束子の形状、構造も進化せざるを得なくなり、狭小な台所で使われていた掌中の静的な亀の子束子から、擦り棒を取り付けられた磨き棒、マップ、床面清掃器具又は床面磨き器具までに変化している。
【０００６】          本考案も又、此の種変態的束子に属する物であって、剛毛を供えた摩擦清浄面と、スポンジの如き多孔性可塑洗い面とを備えた二面性の束子部に、曲折自在且つ取外し自在の柄部を装着した構造の磨き棒式束子にかんするものである。
【０００７】          此の様な磨き棒式又はマップ式の束子は、従来多数散見されている。
例えば、（１）：束子本体に間挿部を介して柄部を接続した物、
（２）：芯材に摺擦体を巻きつけて、此の芯材の一部を柄に機械的に係合する様                にしたもの
（３）：汚れに応じて束子部を交換し得る如くした浴室洗浄用具
（４）：可変取っ手、半球形固定体を装着して安全性、機能性を高めたスチール                束子
（５）：研磨材等を混入した薄い不織布の摺擦体を二つ折りにし、棒状の柄先端                部に取り付けた束子等多数が提案されている。
【特許文献１】  実開公昭６１−１８８５５５
【特許文献２】  同  ６３−１８９１５５
【特許文献３】  実用新案登録第３１６５０４３号
【特許文献４】  実開公平５−７４４５３
【特許文献５】  同  平６−７６４７
【考案の開示】
【考案が解決しようとする課題】
【０００８】            本考案もこの様な柄つき束子に関するものであるが、此れ等束子は単に台所や厨房を離れて使用される場所、例えば浴槽の清浄、トイレの清掃用として使用される事を目的として、其の構造を進化させて来たに過ぎず、単に台所などの静的作業場と異なり、動的且つ広汎な立体面の清掃、清浄が主たる目的である為に、必然的に束子本体に柄部を装着したに過ぎなく、特に特別な効果のあるものではなかった。
従って、今一段の束子の機能性の向上が望まれていた。
【課題を解決する為の手段】
【０００９】              此れに反し本考案の束子に於いては、単位柄部を装着して、動的使用効果を得るばかりでなく、場合に依っては其の柄部を取外して、原始の束子に立ち返り、台所の静的洗浄、清掃動作も行える如く考慮すると同時に、其の柄部の任意の点に於いて、関節機能を此れに付与して、其の関節点を軸として、所望角度にまで屈曲自在とし、隠れたる場所、見えざる箇所の清掃、清浄作業をも行ない得る如く配慮し、其の機能性、機能範囲を拡大したものである。
【００１０】              更に又本考案は、其の剛毛性及びスポンジ可塑性の二面性機能を備えた束子であるに加えて、其の内部には、使用する洗浄液又は清浄液を保留し且つ適宜清浄作業中に滲出する洗剤液滞留部若しくは洗浄液滞留袋部を備え、その清掃、清浄作業中の束子への圧縮力に依って、使用束子所望面上に清浄液を滲出して、効率よく被清浄面を浄化する様に機能させたものである。
【００１１】              此の際の清浄液は、搾り出しチューブ又は搾り出びん等の容器に依り、清浄作業の始まる前に、前記束子の側面部の清浄液注入孔から適当量注入しておくことが出来る。
斯くの如くして本考案の清浄用束子は、清掃又は清浄作業前の被清浄体または面上に、流体又は粉体の清浄剤を散布する必要がなく、其の流失、飛散による浪費を防ぎ、束子のブラッシュ面からの滲出液に依る清掃、清浄作用にのみ依存され得るので、洗剤の無駄使いを防ぎ、清掃中の清浄面のべとつきを防ぎ、仕上がり後もさっぱりとした面を形成する様に構成した事を特徴とする。
【考案の効果】
【００１２】                        上記の如き本考案の構成及び作用に依り本考案の効果は、以下の如き優れた効果を発揮する。
（１）剛面及びスポンジ性可塑面の二面を備えているので、多様の使用面がある。
（２）着脱自在且つ曲折自在の柄部を備えているので、多くの清掃又は清浄面に使用できる。
（３）柄部を取外せば、台所でも使用出来る通常の亀の子束子としても使用できる。
（４）清掃、清浄作業前に束子内にチューブ入り又は瓶入り洗剤、清浄剤を注入してあり、作業中の束子の圧縮力等で束子ブラッシング面上に滲出するので、無駄なく使用する事が出来る。
（５）被作業面上に清浄液、清掃液を散布するのでは無いので、余分な液体が流失する事もなく、清掃後の仕上がりが清潔である。
【実施例】
【００１３】        本考案の清浄用二面束子（１）は、図１及び図２に示す如く、主として剛毛例えば摩擦、摺擦に強い合成繊維サラン等の剛毛を、適当な硬質若しくは軟質の木製束子台座或いは合成樹脂台座（３）に植毛して形成された硬質束子（６）と、硬質台座に接着されるかされざる発泡性樹脂例えばポリウレタン樹脂束子（４）とを、接着して形成された二面束子本体（２）を適当な結帯（５）で緊締強化した後、その接合胴部の適当位置に、曲折自在の柄部（９）を、着脱自在に装着した構造より成る。【００１４】            斯くの如き束子柄部（９）は、前記胴部結帯（５）を介して装着されている一個のナット状係合部（１０）に螺入連結されているが、必要に応じて図２に符号（Ｔ）で示す如く取外して、其の二面束子部（２）のみを、普通の亀の子束子の如く手持ち束子として使用することが出来る。【００１５】              一方此の柄部（９）は、適当な長さに於いて雌雄型ジョイント（１１）を形成し、ボルトーナット（１２）の適当な契合に依り、符号（１３）で示す一本の柄部延長部として、又（１３‘）で示す曲折柄部延長部として、例えば、建物、器具等の清浄に於いて、遠距離部分、高さ部分の清浄に、或いは、曲面部分又は隠蔽若しくは裏面部分の洗浄、清掃に使用する事が出来る。【００１６】                他方、本考案の最大の特徴は、前記二面性束子（１）の硬、軟何れかの束子台座面（３）又は（４）上に、清浄又は清掃作業開始時に、上述し且つ以下に詳述する前記束子内の清浄液滞留部、若しくは滞留袋部から、作業時前の束子面への押圧力例えば、ボンベ状清浄液チューブ（１４）からの清浄液注入圧力などで、適量の清浄液若しくは清掃液が徐徐に滲出し、符号（８）で示す如く、露滴の様に束子台座表面に滲み出て来る事である。
然し其の量は、台座面を潤す程度で滴下するほどのものではなく、清浄開始と共に適度に清浄面を潤し初期の除塵効果を果たす程度のものである。
従って、清掃面に滴下したり、清掃員の衣服、道具を汚す程のものではなく、空拭きに順ずる程度の量であるので、爾後の作業の清浄作業を順調に開始させる。【００１７】                此の様な清浄液滲出作用は、前記二面性束子（２）の構成に於いて述べた如く、剛毛植毛束子部台座（３）及び発泡性樹脂束子（４）との接合面上に形成された凹部、若しくは此の凹部内に埋設されている水枕状の袋体（１７）内に密閉封入された清浄液が、清浄液注入時、又は清浄作業中に加えられる何れかの側の束子台座又は束子本体素材の押圧、歪、若しくは撓みに依って搾り出され、矢印（１７）の如く流動し、前記束子台座（３）上に穿孔されるか或いは、自然発生的生じた微細間隙（１９）（１９）・・・を介して、植毛台座（３）上に（８）（８）・・・で示す如く露出しあものである。【００１８】、                此の様な滲出作用は、前記剛毛束子部台座（３）と発泡性プラスチック台座（４）間に形成される洗浄液滞留空間の体積及び注入圧力に比例するので、可及的広く、可及的清浄液滞留量が多い程好ましい。
尚、此の清浄液を注入し前記二面束子の内部で此の液体を内蔵し、清浄作業の開始と同時に、被清浄面上に清浄液を滲出させる水枕状の袋体（１７）は、ベローバルブを備えた注入口（１８）を備えるに加えて、其の袋体の上面には無数の清浄液通過用の細孔が開けられていて、其の上部の剛毛束子台座（３）の細孔若しくは間隙（１９）に連結し、作業中の何れかの側からの加圧に依って、矢印（１７）の如く束子表面に向かい清浄液を流出させる。【００１９】                    又、この様な束子に清浄液又は清掃液を注入する器具は、手動圧搾チューブ型の容器、又は簡単な高圧注入器であっても良いが、気軽に清掃若しくは清浄現場に携帯し得る図３に示すが如き、手動圧搾注入型のボンベ型容器であるのが好ましい。
従って、此の方式によれば、ボンベ型容器（１４）の口金（１５）を、前記二面束子に内臓されている水枕式袋体（１７）の口金（１８）の連結口（７）の内壁（１６）に当接して連結し、液体漏れを防ぎつつ、前記ボンベー型容器（１４）を矢印（Ｆ）（Ｆ！）方向に手動圧縮しつつ、所定量の清浄液を注入する。前記した様にこの口金（１８）は、図示はされていないが、ベローバルブで閉鎖されており、注入された清浄液が、此の二面束子側面か羅滲出しないように構成されている。【００２０】                  この様な構成より成る本考案の硬軟二面性束子は、其の機作
能性に於いて、手持ち亀の子束子として台所、厨房等でも使用されるに加え、、曲折自在の柄部を装着すれば、床面、トイレ、風呂場等平面の清浄は無論のこと、立体的居住空間の表裏に到るまで清浄化する事が出来る上、清浄液内蔵型で自動滲出型でもある為に、携帯に便利で、清浄液の使用無駄を減少させ、作業中、作業前後を問わず、作業現場の清潔度を維持する事が出来、後処理などの労力削減が極めて多大で、労力の省力化に寄与する事が出来る。
【図面の簡単な説明】
【００２１】
【図１】本考案の清浄用束子の斜視図である、
【図２】図１の束子の正面図である。
【図３】本考案清浄用束子内に清浄液を注入する状態を示す一部切断正面部分図である。
【符号の説明】
【００２２】１              清浄用二面束子
２              二面束子本体
３              軟質合成樹脂台座
４              発泡性樹脂束子
５              結帯
６              剛毛硬質束子
７              連結口
８              露出清浄液
９              柄部
【図１】
0003186213.tif 000003
【図２】
0003186213.tif 000004
【図３】
0003186213.tif 000005
【手続補正書】
【提出日】平成25年7月10日(2013.7.10)
【手続補正１】
【補正対象書類名】実用新案登録請求の範囲
【補正対象項目名】請求項１
【補正方法】変更
【補正の内容】
【請求項１】
剛毛面又は研磨面を持つ束子部分と、スポンジ状可塑面を持つ清浄束子部とを、一体的に接合して成る二面性束子と、其の側面補強用結滞上に装着された着脱自在且つ曲折自在の柄部とより成り、前記二面性束子の接合部に形成された凹部と、該凹部から前記束子部分の表面に貫通する間隙とを設けることで、所望面上にのみ、前記凹部に注入されている清浄液を滲出させるようにした事を特徴とする清浄束子。